(57)【特許請求の範囲】
【請求項１】
発光体を備えたランタン本体（１）に、発光体を囲むウィング形の複数枚のリフレクター（８）を開閉可能に設け、上記ランタン本体（１）の発光体が、カセットボンベ（Ａ）のガスを燃料とするマントル発光する燃焼部からなる携帯用ランタン。
【請求項２】
上記ランタン本体（１）の左右下部に、遮熱用のウィング（１６）を開閉可能に設けた請求項１記載の携帯用ランタン。
【請求項３】
上記ランタン本体（１）に、燃焼部（４）を保護するガード（６）を設け、このガード（６）の後方左右に、リフレクター（８）を開閉可能に取り付けた請求項２記載の携帯用ランタン。
【請求項４】
上記ガード（６）の前方左右に、メッシュ（１３）を張設したメッシュフレーム（１２）を、開閉可能に設けた請求項３記載の携帯用ランタン。
【発明の詳細な説明】
【０００１】
【発明の属する技術分野】
この発明は、リフレクターをコンパクトに折畳んで収容することができる携帯に便利なランタンに関するものである。
【０００２】
【従来の技術とその課題】
従来のランタンには、発光体（マントル、電球など）の周りに、ガラス製や金属メッシュ製のホヤや、パラボラ状のリフレクターが設置されている。
【０００３】
このホヤやパラボラ形のリフレクターは、嵩張るため、収納や携帯に不便であった。
【０００４】
また、発光体として、マントルを使用したものでは、風向きなどによって、必要な場所だけに、無駄なく光を照射するということがなかなか困難であった。
【０００５】
そこで、この発明は、必要な場所に無駄なく光を照射することができ、しかもコンパクトに収容することができ、携帯に便利なランタンを提供しようとするものである。
【０００６】
【課題を解決するための手段】
この発明のランタンは、上記の課題を解決するために、発光体を備えた本体に、発光体を囲むウィング形の複数枚のリフレクターを開閉可能に設け、上記ランタン本体の発光体が、カセットボンベのガスを燃料とするマントル発光する燃焼部からなるものである。
【０００７】
複数枚のリフレクターの開閉角度を調節することにより、必要な場所に無駄なく光を照射することが可能となる。
【０００８】
また、リフレクターを閉じると、発光体が囲まれて保護され、しかもコンパクトになるため、収納や携帯に便利である。
【０００９】
【発明の実施の形態】
この発明に係るランタンは、発光部が、マントル発光のものでも、電球のいずれでもよいが、図１〜図６の形態は、カセットボンベのガスを燃料とするマントル発光のものを示している。
【００１０】
このランタンは、液化ブタン等が充填された丸型のカセットボンベＡに装着して使用され、ランタン本体１は、カセットボンベＡに着脱自在に装着するためのコネクター部２と、内部にニードルバルブ、空気室を有するバルブ部３と、燃焼部４とからなる。
【００１１】
上記コネクター部２の下面には、バルブパッキンが設けられている。
【００１２】
バルブ部３には、ニードルバルブを操作してガス量を調節するためのハンドル５が設置されている。このハンドル５は、収容の際に、図３に示すように、上方へ跳ね上げることができるようになっている。
【００１３】
上記バルブ部３の上部には、燃焼部４を前後と上方を囲むステンレス製のガード６が取り付けられている。このガード６の前面には、上下に窓孔７を複数個形成している。この窓孔７を設ける必要は必ずしもなく、窓孔７から光をより多く照射させたい場合には、適宜大きく形成すればよい。
【００１４】
上記ガード６の両側面の後方には、ガード６の側面を覆う大きさのウィング形のリフレクター８が、垂直方向の回転軸９によって、ガード６に対して開閉自在に取り付けられている。
上記リフレクター８は、アルミ製のガード板１０と、その内面に取り付けられた反射板１１とからなる。
【００１５】
また、ガード６の両側面の前方には、垂直方向の回転軸２０によって、コ字形のメッシュフレーム１２が、ガード６に対して開閉自在に取り付けられている。このメッシュフレーム１２は、リフレクター１１よりも一回り小さく形成されており、リフレクター８を閉じた際に、その内側に収まるようになっている。上記メッシュフレーム１２には、光を和らげるために、ステンレス製のメッシュ１３を張設している。
【００１６】
上記燃焼部４には、マントル１４が被せられており、燃焼部４の燃焼によりマントル発光するようになっている。
【００１７】
また、ガードの下方には、ホヤ受け１５が設けられている。
【００１８】
上記ランタン本体１の下部両側には、燃焼部４の熱を遮断して、ガスボンベＡの過熱を防止する樹脂製のウィング１６が設置されている。このウィング１６は、バルブ部３の外面左右に設けられたブラケット１７に、水平方向の回転軸１８によって垂直位置から左右上方に開くように取り付けられている。
【００１９】
上記バルブ３には、ハンドル８を回して、ガスボンベＡから燃焼部４にガスを供給した状態で、ガスに着火させるための圧電ユニット１８が設けられている。
【００２０】
上記ランタン本体１のホヤ受け１５の両側には、メッシュフレーム１２を内側にして、リフレクター８を畳んだ状態で、リフレクター８が開かないようにするためのロック金具１９が設けられ、このロック金具１９はバネによって上方に跳ね上がるようになっている。
【００２１】
上記ランタンの使用方法について説明する。
【００２２】
まず、ランタン本体１の下部のウィング１６を、図２及び図３に示す垂直状態から開いて、コネクター部２を、図１に示すように、ガスボンベＡに装着した後、ロック金具１９を下方に下ろして、リフレクター８と、メッシュホルダー１２を順次開く。そして、ハンドル５を回して、燃焼部４にガスを送り、圧電ユニット１８の押しボタンを押して燃焼部４に点火する。燃焼部４に着火すると、マントルが発光する。この後、必要な場所に光が当たるように、リフレクター８のメッシュホルダー１２の開き角度を調節する。
【００２３】
次に、上記の使用状態から、ランタンを収容状態にするには、ハンドル５を回して、ガスボンベＡのガスを止める。そして、燃焼部４を消火した後、コネクター部２をガスボンベＡから取り外した後、メッシュホルダー１２を内側になるように、メッシュホルダー１２とリフレクター８を順次閉じた後、ロック金具１９を上方に上げて、リフレクター８の開きを止める。更に、ハンドル５を上方に上げた状態で、ウィング１６を下方に下げると、図２及び図３に示すように、リフレクター８とウィング１６がランタン本体に沿うように垂直に小さく折畳まれる。
【００２４】
上記ランタンは、発光部として、マントル発光するのものについて説明したが、発光部としてはマントル発光の他、電球を使用するものでもよい。
【００２５】
【発明の効果】
以上のように、この発明に係るランタンは、リフレクターをランタン本体に沿うように垂直に小さく折畳むことができるので、収容の際に嵩張らず、携帯に便利である。
【００２６】
また、リフレクターを閉じると、発光体がリフレクターによって囲まれて保護されるので、別途ケースなどに収容する必要がなく、そのままポケットに入れて携帯することができる。
【図面の簡単な説明】
【図１】この発明に係るランタンの使用状態を示す斜視図
【図２】上記ランタンの収容状態を背面側から見た斜視図
【図３】上記ランタンの収容状態を正面側から見た斜視図
【図４】図３のIV−IV線の断面図
【図５】ランタン本体のバルブ部分を示す分解斜視図
【図６】図５のウィング部分の縦断面図
【符号の説明】
Ａ  カセットボンベ
１  ランタン本体
２  コネクター部
３  バルブ部
４  燃焼部
５  ハンドル
６  ガード
７  窓孔
８  リフレクター
９  回転軸
１０  ガード板
１１  反射板
１２  メッシュフレーム
１３  メッシュ
１４  マントル
１５  ホヤ受け
１６  ウィング
１７  ブラケット
１８  圧電ユニット
１９  ロック金具
【図１】
0004323664.tif 000002
【図２】
0004323664.tif 000003
【図３】
0004323664.tif 000004
【図４】
0004323664.tif 000005
【図５】
0004323664.tif 000006
【図６】
0004323664.tif 000007